(57)【要約】【課題】赤外光が発光素子又は受光素子を覆う透光板より反射され、かかる反射光によって誤検出が生じることを抑制できるタッチパネル装置を提供する。【解決手段】表示面１０１と、表示面１０１に沿って赤外光を照射する発光素子９１１の列及び赤外光を受光する受光素子９２１の列と、発光素子９１１の列又は受光素子９２１の列を覆う短冊形の透光板８１とを備え、表示面１０１上の遮光物の位置を検出するタッチパネル装置１００において、クロロフィルを含有し、入射赤外光を吸収する光吸収部８１１，８１３を、透光板８１に設けることにより、透光板８１に対して浅い入射角を有して入射される赤外光を光吸収部８１１，８１３が吸収する。【選択図】図７
2014222408.tif 000002
【特許請求の範囲】
【請求項１】
表示面と、該表示面に沿って赤外光を照射する発光素子の列及び該赤外光を受光する受光素子の列と、前記発光素子の列又は受光素子の列を覆う短冊形の透光板とを備え、前記表示面上の遮光物の位置を検出するタッチパネル装置において、
前記透光板は、
クロロフィルを含有し、入射赤外光を吸収する光吸収部を、前記表示面側の一縁部に設けていることを特徴とするタッチパネル装置。
【請求項２】
前記透光板は、
前記一縁部に対向する他縁部に前記光吸収部を設けていることを特徴とする請求項１に記載のタッチパネル装置。
【請求項３】
前記一縁部及び他縁部の少なくとも一方の光吸収部は、クロロフィルを含有する光吸収膜を有することを特徴とする請求項２に記載のタッチパネル装置。
【請求項４】
前記一縁部及び他縁部の少なくとも一方の光吸収部では、クロロフィルが前記透光板に混入されてあることを特徴とする請求項２に記載のタッチパネル装置。
【請求項５】
前記表示面の縁に沿って周設された枠体を備えており、該枠体には前記透光板を着脱する溝が設けられていることを特徴とする請求項１から４の何れかに記載のタッチパネル装置。
【発明の詳細な説明】
【技術分野】
【０００１】
本発明は、表示面と、該表示面に沿って赤外光を照射する発光素子の列及び該赤外光を受光する受光素子の列と、前記発光素子の列又は受光素子の列を覆う短冊形の透光板とを備え、前記表示面上の遮光物の位置を検出するタッチパネル装置に関する。
【背景技術】
【０００２】
近年、表示面上に書き込まれた情報に係る座標を検知して、該表示面上に表示されている画像に対して上書きすることにより、重ねて表示し、あるいは、書き込まれた情報をコンピュータにリアルタイムで取り込むことが出来る電子ホワイトボードが普及している。
【０００３】
電子ホワイトボードで使用される座標入力、座標検知方法としては、種々の方式が提案されているが、その一つとして赤外線を用いた赤外線遮断式がある。図１２は赤外線遮断式の電子ホワイトボードにおける、座標検知及び座標入力を説明する説明図である。
【０００４】
斯かる赤外線遮断式の電子ホワイトボード２００においては、表示部２０１の縦方向の１辺（図示せず）と横方向の１辺とに赤外線の光を発光する多数のＬＥＤ１，２，３…を各々１列に等間隔で配列し、該ＬＥＤの列と対向する辺に受光素子１，２，３…（フォトトランジスタ）を該ＬＥＤの列と同間隔で１列に配列し、対向するＬＥＤ・受光素子対を順次走査して、Ｘ方向（横）とＹ方向（縦）について赤外線の光の遮断物による赤外線の光の遮断の有無を検出し、該遮断物の位置を入力位置として認識するものである。
【０００５】
例えば、ＬＥＤ３から発光される赤外線の光（以下、単に赤外光という。）が遮光物Ｓによって遮光された場合、受光素子１〜受光素子５における受光量が低減する。このような受光素子１，２，３…での受光量の変化に基づき、遮光物Ｓの有無及び位置（座標）が検出できる。本例では、１つのＬＥＤの発光に対し、複数の受光素子にて受光量の変化を検出する方式としている。
【０００６】
一方、特許文献１では、配置された発光素子及び受光素子の個々の素子間の距離を予め所定数に分割して求めた位置座標に基づいて高分解能座標出力を行ない、また、その表示面の任意の箇所で検出された遮光物体の座標周辺のみを集中的に走査する赤外線遮断式のタッチパネルが開示されてある。
【先行技術文献】
【特許文献】
【０００７】
【特許文献１】特開２０００−２０２２７号公報
【発明の概要】
【発明が解決しようとする課題】
【０００８】
上述した赤外線遮断式の電子ホワイトボードにおいては、ＬＥＤ及び受光素子が配置されているベゼル部と、表示面との境界に、前記ＬＥＤからの赤外光を透過させる透過フィルタを設けている。これによって、ＬＥＤ又は受光素子においては外部からの不要な入射光を遮断すると共に、実装基板を保護することが出来る。
【０００９】
しかし、前記透過フィルタに対して、何れかのＬＥＤからの赤外光が浅い角度で入射すると、入射された赤外光が当該透過フィルタによって反射され、斯かる光の反射・回折光によって誤検知が生じることがある。以下においては、このような誤検知を招く反射・回折された光のことを迷光という。
【００１０】
例えば、図１２に示すように、ＬＥＤ１及びＬＥＤ２が発光する赤外光が所定の幅を持って広がり、一部の光が浅い入射角（内角）をなして、縦方向に配設された透過フィルタ２０２に入射した場合、斯かる入射光は透過フィルタ２０２によって反射され、受光素子１及び受光素子２に向かって進行する。従って、受光素子１及び受光素子２おいては前記反射光が受光されて受光量が変わるので、遮光物Ｓの検出に影響を及ぼす。
【００１１】
しかしながら、特許文献１に係る赤外線遮断式のタッチパネルでは、このような問題を解決出来ない。
【００１２】
本発明は、斯かる事情に鑑みてなされたものであり、その目的とするところは、表示面と、該表示面に沿って赤外光を照射する発光素子の列及び該赤外光を受光する受光素子の列と、前記発光素子の列又は受光素子の列を覆う短冊形の透光板とを備え、前記表示面上の遮光物の位置を検出するタッチパネル装置において、クロロフィルを含有し、入射赤外光を吸収する光吸収部を、前記透光板に設けることにより、上述したように、浅い入射角を有して入射される赤外光を前記光吸収部が吸収し、該赤外光が前記透光板より反射されることを抑制できるタッチパネル装置を提供することにある。
【課題を解決するための手段】
【００１３】
本発明に係るタッチパネル装置は、表示面と、該表示面に沿って赤外光を照射する発光素子の列及び該赤外光を受光する受光素子の列と、前記発光素子の列又は受光素子の列を覆う短冊形の透光板とを備え、前記表示面上の遮光物の位置を検出するタッチパネル装置において、前記透光板は、クロロフィルを含有し、入射赤外光を吸収する光吸収部を、前記表示面側の一縁部に設けていることを特徴とする。
【００１４】
本発明に係るタッチパネル装置は、前記透光板は、前記一縁部に対向する他縁部に前記光吸収部を設けていることを特徴とする。
【００１５】
本発明に係るタッチパネル装置は、前記一縁部及び他縁部の少なくとも一方の光吸収部は、クロロフィルを含有する光吸収膜を有することを特徴とする。
【００１６】
本発明に係るタッチパネル装置は、前記一縁部及び他縁部の少なくとも一方の光吸収部では、クロロフィルが前記透光板に混入されてあることを特徴とする。
【００１７】
本発明に係るタッチパネル装置は、前記表示面の縁に沿って周設された枠体を備えており、該枠体には前記透光板を着脱する溝が設けられていることを特徴とする。
【発明の効果】
【００１８】
本発明によれば、クロロフィルを含有し、入射赤外光を吸収する光吸収部を、前記透光板に設け、上述したように、浅い入射角を有して入射される赤外光を前記光吸収部が吸収することにより、かかる赤外光が前記透光板より反射されることを抑制でき、これによる誤検出の発生を抑制できる。
【図面の簡単な説明】
【００１９】
【図１】本発明の実施の形態１の電子ホワイトボードを概念的に表示した概念図である。
【図２】本発明の実施の形態１の電子ホワイトボードの要部構成を示す機能ブロック図である。
【図３】本発明の実施の形態１の電子ホワイトボードのタッチパネル部における、制御部の要部構成を示す機能ブロック図である。
【図４】本発明の実施の形態１の電子ホワイトボードにおける、光の走査の処理を説明する機能ブロック図である。
【図５】本発明の実施の形態１の電子ホワイトボードにおける、走査及び遮光物の検出を説明する説明図である。
【図６】本発明の実施の形態１に係る電子ホワイトボードにおける、表示部の隅部を示す部分的斜視図である。
【図７】図６のＡ‐Ｂ線による断面図である。
【図８】図７中の矢印方向から透光板を見た場合の、透光板の構成を説明する説明図である。
【図９】本発明の実施の形態１に係る電子ホワイトボードにおける、透光板での入射赤外光の反射による影響を示す実験結果である。
【図１０】本発明の実施の形態２に係る電子ホワイトボードにおける、透光板の構成を示す部分的横断面図である。
【図１１】本発明の実施の形態３に係る電子ホワイトボードにおける、透光板及び枠体の構成を示す部分的横断面図である。
【図１２】赤外線遮断式の電子ホワイトボードにおける、座標検知及び座標入力を説明する説明図である。
【発明を実施するための形態】
【００２０】
以下、本発明に係るタッチパネル装置を、いわゆる電子ホワイトボードに適用した場合を例に挙げて、図面に基づいて詳述する。
【００２１】
（実施の形態１）
図１は本発明の実施の形態１の電子ホワイトボード１００を概念的に表示した概念図であり、図２は本発明の実施の形態１の電子ホワイトボード１００の要部構成を示す機能ブロック図である。
【００２２】
本発明の実施の形態１の電子ホワイトボード１００は、表示部１００Ａとタッチパネル部１００Ｂとを有しており、タッチパネル部１００Ｂは、赤外線を発光する発光素子及び赤外線を受光する受光素子を備え、遮光物の位置を検出する、いわゆる赤外線遮断式タッチパネルとなっている。電子ホワイトボード１００においては、例えば、表示部１００ＡはＨＤＭＩ（登録商標）を介して、タッチパネル部１００ＢはＵＳＢを介してパーソナルコンピュータ（以下、ＰＣと言う。）と接続されている。本実施例では、表示部１００Ａとタッチパネル部１００Ｂとは映像表示と座標指示との機能別に、各々独立した形で構成しているが、表示と座標指示との同期を図る等の目的で、統合的に構成・制御しても良い。また、映像表示、座標指示のＩ／Ｆは、ＨＤＭＩ、ＵＳＢに限らず、他の方式を用いても良い。
【００２３】
表示部１００Ａは、例えばＬＣＤ又はＥＬ（Electroluminescence）パネル等からなり、ＰＣからの映像出力および、タッチパネル部１００ＢとＰＣを介して利用者から受け付ける文字、線画等が表示される。また、表示部１００Ａの表示面を囲むようにタッチパネル部１００Ｂが設けられている。
【００２４】
タッチパネル部１００Ｂは制御部１と、ＲＯＭ２と、ＲＡＭ３、Ｉ／Ｆ部５、走査部９とを備えており、Ｉ／Ｆ部５を介して前記ＰＣとの座標データの送受信を行う。
【００２５】
タッチパネル部１００Ｂの制御部１は、走査部９による走査結果に係る座標に基づき、文字、線画等の筆記・描画を、ＰＣを介して受け付けることで、表示部１００Ａに文字、線画等を表示させる。
【００２６】
ＲＯＭ２には制御プログラムが予め格納されており、ＲＡＭ３はデータを一時的に記憶し、記憶順、記憶位置等に関係なく読み出すことが可能である。また、ＲＡＭ３は、例えば、ＲＯＭ２から読み出されたプログラム、該プログラムを実行することにより発生する各種データ等を記憶する。
【００２７】
制御部１は、ＲＯＭ２に予め格納されている制御プログラムをＲＡＭ３上にロードして実行することによって、バスを介して上述した各種ハードウェアの制御を行い、タッチパネル部１００Ｂを機能させる。
【００２８】
図３は本発明の実施の形態１の電子ホワイトボード１００のタッチパネル部１００Ｂにおける、制御部１の要部構成を示す機能ブロック図である。制御部１は、ＣＰＵ１１と、座標算出部１２と、遮光物管理部１３と、検出部１４とを備えている。
【００２９】
座標算出部１２は、ペン形入力器又は指等の遮光物の表示部１００Ａの表示面上の座標を算出する。詳しくは、タッチパネル部１００Ｂによって、表示部１００Ａの表示面上の光遮断が検出された場合に送られる、後述する強度信号に基づき、斯かる遮光物の座標を算出する。
【００３０】
遮光物管理部１３は、走査部９の走査によって検出される遮光物の位置（座標）を管理する。例えば、遮光物管理部１３は、斯かる遮光物が移動する場合、遮光物の移動を表す座標履歴を記憶する。
【００３１】
検出部１４は、表示部１００Ａの表示面上における、１又は複数の遮光物の位置を検出する。詳しくは、タッチパネル部１００Ｂの走査部９が表示部１００Ａの表示面上の全領域に対して光の走査を行い、タッチパネル部１００Ｂから取得される該広域走査の結果に係る強度信号に基づき、検出部１４は表示部１００Ａの表示面上の遮光物の座標を検出する。
【００３２】
また、ＣＰＵ１１は、走査部９の発光素子及び受光素子の制御を行なう。
【００３３】
タッチパネル部１００Ｂは、上記したように、赤外線遮断式タッチパネルである。すなわち、図示しないペン形入力装置又は指等の先端が表示部１００Ａの表示面の直近に近づいたことにより光遮断が検出されることによって、斯かる遮光物（ペン形入力装置又は指等）の位置を検出する。すなわち、走査結果、受光素子から得られる信号（強度信号）が制御部１に送出され、これに基づき、座標算出部１２は斯かる遮光物の座標を算出する。このようにして、タッチパネル部１００Ｂは、利用者から表示部１００Ａ上の位置指定、文字、線画等の入力を受け付ける。
【００３４】
タッチパネル部１００Ｂは、表示部１００Ａの表示面に沿って赤外光を走査する走査部９を備えており、走査部９は、赤外光を照射する複数の発光素子を有する発光部９１と、対応する発光素子からの赤外光を受光する複数の受光素子を有する受光部９２と、制御部１（ＣＰＵ１１）からの発光信号及び受光信号を夫々の発光部９１及び受光部９２に割り当てるアドレスデコーダ９３と、光遮断の検出に用いられる受光部９２からのアナログ信号をデジタル信号に変換するＡ／Ｄコンバータ９４とを備えている。
【００３５】
図４は本発明の実施の形態１の電子ホワイトボード１００における、光の走査の処理を説明する機能ブロック図である。
【００３６】
発光部９１は、図示しないマルチプレクサを有しており、発光素子の夫々は該マルチプレクサに接続されている。また、受光部９２も、図示しないマルチプレクサを有しており、受光素子の夫々は該マルチプレクサに接続されている。更に、発光部９１の各発光素子は、受光部９２の何れか一つ受光素子と対応（対向）するように構成されている。
【００３７】
制御部１のＣＰＵ１１は、複数の発光素子を発光させるための発光信号をアドレスデコーダ９３Ａへ出力すると共に、複数の受光素子を受光させるための受光信号をアドレスデコーダ９３Ｂへ出力する。アドレスデコーダ９３Ａは、ＣＰＵ１１からの信号に応じて、発光素子の内、発光に係る何れかの発光素子を特定する信号を発光部９１に出力し、またアドレスデコーダ９３Ｂは、ＣＰＵ１１からの信号に応じて、受光素子の内で、前記特定された発光素子に対応する受光素子を特定する信号を受光部９２に出力する。
【００３８】
このように特定された発光素子は赤外光を発光し、対応する受光素子は赤外光を受光する。この際、該受光素子によって受光した赤外光の強度を電圧値で示す強度信号がＡ／Ｄコンバータ９４に出力される。Ａ／Ｄコンバータ９４は前記強度信号を例えば、８ビットのデジタル信号に変換し、変換後の強度信号を制御部１に出力する。制御部１は、全ての受光素子からの強度信号を取得するために、各受光素子から強度信号を取得する処理を順次繰り返す。
【００３９】
制御部１のＣＰＵ１１は、各受光素子から取得した強度信号に基づき、該受光素子での受光量を計算する。ＣＰＵ１１は、計算された受光量が予め定められている閾値を超過している場合は、当該受光素子が受光する赤外光の光路は遮断されていないと判定する。また、計算された受光量が、予め定められている閾値以下である場合は、当該受光素子が受光する赤外光の光路が遮断されていると判定する。
【００４０】
このようなＣＰＵ１１の判定結果に基づき、座標算出部１２及び検出部１４は遮光物の位置を算出する。すなわち、座標算出部１２及び検出部１４は、赤外光の光路が遮断されている受光素子を特定し、特定された受光素子の位置に基づき、表示部１００Ａの表示面上の遮光物の座標を算出する処理を行う。
【００４１】
以下に、前記走査及び遮光物の検出について詳しく説明する。図５は本発明の実施の形態１の電子ホワイトボード１００における、走査及び遮光物の検出を説明する説明図である。
【００４２】
表示部１００Ａの表示面は矩形状であり、該表示面の図面視右側及び下側には、表示部１００Ａの縁に沿って複数の発光素子９１１、９１１、…の列が並設されている。発光素子９１１は、例えば、赤外光を発光する発光ダイオード（ＬＥＤ）である。図中には、各発光素子９１１が発光する赤外光の光路を実線の矢印にて示している。
【００４３】
右側の複数の発光素子９１１、９１１、…は、夫々の発光素子９１１が発光する赤外光の光路が前記表示面に沿って互いに平行をなすように設けられており、下側の発光素子９１１、９１１、…も同様に設けられている。
【００４４】
すなわち、図５における左右方向（ｘ軸方向）たる右側の発光素子９１１、９１１、…と、上下方向（ｙ軸方向）たる下側の複数の発光素子９１１、９１１、…とは、その光路が相互直交するように設けられている。
【００４５】
また、表示部１００Ａの表示面上であって、発光素子９１１、９１１、…と対向する位置には、受光素子９２１、９２１、…が設けられている。
【００４６】
すなわち、表示部１００Ａの表示面の左側及び上側には、縁に沿って複数の受光素子９２１、９２１、…の列が並設されている。受光素子９２１は、赤外光を受光する受光ダイオードである。発光素子９１１、９１１、…からの赤外光は、対向配置された受光素子９２１、９２１、…によって受光されるように構成されている。
【００４７】
発光素子の場合と同様に、上側の受光素子９２１、９２１、…と、左側の受光素子９２１、９２１、…とは、受光すべき赤外光の光路が相互直交するように設けられている。
【００４８】
走査部９は、表示部１００Ａの表示面における、Ｘ軸方向の一端から他端まで、またＹ軸方向の一端から他端まで、１つずつ発光素子９１１を順次発光させていき、表示部１００Ａの表示面の遮光物の位置、大きさ等が上述したように検出される。
【００４９】
図６は本発明の実施の形態１に係る電子ホワイトボード１００における、表示部１００Ａの隅部を示す部分的斜視図であり、図７は図６のＡ‐Ｂ線による断面図である。
【００５０】
電子ホワイトボード１００は、表示部１００Ａの表示面１０１と、表示面１０１の縁に沿って周設されたベゼル部８とを備えている。
【００５１】
ベゼル部８は、表示面１０１の縁部を覆う空洞の枠体８２を有しており、枠体８２の内側には発光素子９１１、９１１、…が収納されている。ベゼル部８の表示面１０１側の端部には、透光板８１が設けられている。
【００５２】
透光板８１は、上述したように、Ｘ軸方向及びＹ軸方向に並設された発光素子９１１、９１１、…及び受光素子９２１、９２１、…を覆うように設けられた、短冊状の板材である。透光板８１は、発光素子９１１、９１１、…が発する赤外光と、受光素子９２１、９２１、…に入射される赤外光とを透過させる。更に、透光板８１は、外部から枠体８２の内側の発光素子９１１、９１１、…及び受光素子９２１、９２１、…が見えないようにする目隠しの役割と、発光素子・受光素子を実装した基板を保護する役割を担っている。
【００５３】
透光板８１は、例えば、ポリカーボネート、アクリル等からなり、短手方向の幅Ｌが例えば、１６ｍｍであって、裏側の両長辺部が夫々枠体８２の端部及び表示面１０１によって支えられた状態にて、該端部に、接着剤などによって粘着されている。
【００５４】
枠体８２の内側には、表示面１０１と直交配置された基板９１２に、発光素子９１１、９１１、…が実装されており、発光素子９１１、９１１、…の発光部が発する赤外光は透光板８１を透過して、対向側の受光素子９２１、９２１、…を向けて進行する。
【００５５】
透光板８１は、発光素子９１１、９１１、…からの赤外光を透過させる透光部８１２と、該透光板８１の長手方向の端側から浅い入射角度にて入射される他の発光素子からの赤外光を吸収して反射を防止する上部光吸収部８１１及び下部光吸収部８１３とを備えている。
【００５６】
下部光吸収部８１３は、透光板８１の短手方向の表示面１０１側における、一定幅Ｌ３の部分であり、透光板８１の長手方向に沿って延びる。
【００５７】
また、上部光吸収部８１１は、透光板８１の短手方向において、下部光吸収部８１３と反対側の一定幅Ｌ１の部分であり、透光板８１の長手方向に沿って延びる。
【００５８】
透光部８１２は、透光板８１の短手方向において、上部光吸収部８１１及び下部光吸収部８１３の間の部分であり、一定の幅Ｌ２を有する。
【００５９】
すなわち透光板８１の短手方向の幅Ｌは「Ｌ＝Ｌ１＋Ｌ２＋Ｌ３」となる。また、透光板８１は、後述するように光吸収膜８１１Ａ又は光吸収膜８１３Ａを有している。
【００６０】
図８は図７中の矢印方向から透光板８１を見た場合の、透光板８１の構成を説明する説明図である。
【００６１】
上述したように、透光板８１の一方の長辺側には、上部光吸収部８１１が設けられており、他方の長辺側には、下部光吸収部８１３が設けられている。すなわち、透光部８１２を挟んで、表示面１０１側には、下部光吸収部８１３が設けられており、反対側には、上部光吸収部８１１が設けられている。透光板８１の幅方向（短手方向）における、上部光吸収部８１１、透光部８１２及び下部光吸収部８１３の幅は、例えば、夫々６ｍｍ、６ｍｍ及び４ｍｍである。
【００６２】
上部光吸収部８１１は光吸収膜８１１Ａを有しており、下部光吸収部８１３は光吸収膜８１３Ａを有している。換言すれば、透光板８１において、表示面１０１側の一縁部の表面には光吸収膜８１３Ａが貼り付けられており、該一縁部と反対側の他縁部の表面には光吸収膜８１１Ａが貼り付けられている。すなわち、上部光吸収部８１１及び下部光吸収部８１３が共に光吸収膜を有しており、光吸収膜８１１Ａ、８１３Ａは入射されて来る赤外光を吸収し、該赤外光が反射されることによって上述した迷光になることを防ぐ。
【００６３】
また、本発明はこれに限るものでなく、光吸収膜８１１Ａ及び光吸収膜８１３Ａの何れか一方のみを有するように構成しても良い。
【００６４】
本発明の実施の形態１に係る電子ホワイトボード１００において、光吸収膜８１１Ａ、８１３Ａは、例えば、光合成色素であるクロロフィルを含む。より詳しくは、光吸収膜８１１Ａ及び光吸収膜８１３Ａは、例えば、クロロフィル成分を含む、抹茶粉末などを適切な溶剤（例えば、アクリル溶剤、エナメル溶剤等）に混錬分散させたペーストを透光板８１の前記一縁部及び他縁部の上に塗布することにより形成する。
【００６５】
クロロフィルは、光合成反応で光エネルギーを吸収する役割をもつ化学物質であり、４５０ｎｍ付近、７００ｎｍ付近、８５０ｎｍ付近の光を吸収するので、赤外光を吸収することができる。また、クロロフィル成分の例としては、クロロフィルｄ及びバクテリオクロロフィルａが挙げられる。
【００６６】
図９は本発明の実施の形態１に係る電子ホワイトボード１００における、透光板８１での入射赤外光の反射による影響を示す実験結果である。より詳しくは、図９は、一の発光素子９１１から赤外光を発した場合において、これに対応する一の受光素子９２１での受光量変化を示したものである。
【００６７】
斯かる実験は、５％の抹茶粉末をアクリル溶剤に混錬分散させたペーストをポリカーボネート製の透光板８１の前記一縁部及び他縁部の表面上に塗布したものを用いて行った。より詳しくは、アクリル溶剤を０．９５ｇ、抹茶粉末を０．０５ｇとし、重量比で５％としたものである。
【００６８】
また、比較対象としては、透光板をつけておらず入射赤外光の反射が全く生じない場合を基準として、透光板８１の前記一縁部及び他縁部に相当する部分に、アミニウム系、ジイモニウム系等の赤外吸収材を付けた場合と、いわゆる赤外線反射防止テープを貼り付けた従来の透光板を付けた場合とを対象にて行なった。
【００６９】
図９から見て取れるように、赤外吸収材を付けた場合と、従来の透光板を付けた場合とにおいては、透光板をつけていない場合に比べ、夫々、１．３％、１．５％の受光量の増加が発生していることが確認できる。これは、入射赤外光の反射による前記迷光を受光したからである。
【００７０】
これに対して、透光板８１がクロロフィルを含有する、本発明に係る電子ホワイトボード１００においては、透光板をつけていない場合に比べ、受光量が０．７％増加に留まっており、赤外吸収材を付けた場合と、従来の透光板を付けた場合に比べ、優れた効果を発揮している。
【００７１】
このように、本発明の実施の形態１に係る電子ホワイトボード１００においては、以上の構成によって、透光板８１に対して、該透光板８１の長手方向の端側から浅い入射角度にて入射される他の発光素子からの赤外光が上部光吸収部８１１（光吸収膜８１１Ａ）及び下部光吸収部８１３（光吸収膜８１３Ａ）によって吸収されるので、上述したような迷光に起因する遮光物の誤検出を防止することができる。
【００７２】
（実施の形態２）
本発明の実施の形態２に係る電子ホワイトボード１００は、実施の形態１に係る電子ホワイトボード１００と略等しい構成を有しているが、透光板８１の構成において相違する。
【００７３】
図１０は本発明の実施の形態２に係る電子ホワイトボード１００における、透光板８１の構成を示す部分的横断面図である。
【００７４】
実施の形態２において、透光板８１は、実施の形態１と同様、発光素子９１１、９１１、…からの赤外光を透過させる透光部８１２と、該透光板８１の長手方向の端側から浅い入射角度にて入射される他の発光素子からの赤外光を吸収して反射を防止する上部光吸収部８１１及び下部光吸収部８１３とを備えている。
【００７５】
下部光吸収部８１３は、透光板８１の短手方向の表示面１０１側における、一定幅Ｌ３の部分であり、透光板８１の長手方向に沿って延びる。また、上部光吸収部８１１は、透光板８１の短手方向において、下部光吸収部８１３と反対側の一定幅Ｌ１の部分であり、透光板８１の長手方向に沿って延びる。
【００７６】
透光部８１２は、透光板８１の短手方向において、上部光吸収部８１１及び下部光吸収部８１３の間の部分であり、一定の幅Ｌ２を有する。
【００７７】
上部光吸収部８１１及び下部光吸収部８１３には共に、クロロフィルが混入されている。すなわち、透光板８１は、上部光吸収部８１１及び下部光吸収部８１３に相当する部分において、クロロフィル成分が均一に分布されている。
【００７８】
上述したように、クロロフィルは、光合成反応で光エネルギーを吸収する役割をもつ化学物質であり、４５０ｎｍ付近、７００ｎｍ付近、８５０ｎｍ付近の光を吸収する。従って、上部光吸収部８１１及び下部光吸収部８１３は入射されて来る赤外光を吸収し、該赤外光が反射されることによって上述した迷光になることを防ぐ。
【００７９】
本発明の実施の形態２に係る電子ホワイトボード１００においては、上部光吸収部８１１及び下部光吸収部８１３には、適切な熱処理によりクロロフィル成分が練りこまれている。又は、透光板８１は、例えば、抹茶粉末などが混入されたポリカーボネート板材と、抹茶粉末が混入されていないポリカーボネート板材とを接ぎ合わせることにより設けられる。また、これに限るものでなく、上部光吸収部８１１及び下部光吸収部８１３に、部分的に、クロロフィル成分を拡散させても良い。
【００８０】
このような構成を有することから、本発明の実施の形態２に係る電子ホワイトボード１００においては、透光板８１に対して、該透光板８１の長手方向の端側から浅い入射角度にて入射される他の発光素子からの赤外光が上部光吸収部８１１及び下部光吸収部８１３によって吸収されるので、上述したような迷光に起因する遮光物の誤検出を防止することができる。
【００８１】
実施の形態１と同様の部分については、同一の符号を付して詳細な説明を省略する。
【００８２】
（実施の形態３）
本発明の実施の形態３に係る電子ホワイトボード１００は、実施の形態１に係る電子ホワイトボード１００と略等しい構成を有しているが、透光板８１及び枠体８２の構成において相違する。
【００８３】
図１１は本発明の実施の形態３に係る電子ホワイトボード１００における、透光板８１及び枠体８２の構成を示す部分的横断面図である。
【００８４】
実施の形態３に係る電子ホワイトボード１００において、枠体８２は、表示面１０１側の縁部に、透光板８１を着脱可能に保持する溝８３Ａ、８３Ｂが形成されている。より詳しくは、枠体８２の表示面１０１側の縁部のうち、表示面１０１近傍の一縁部には、溝８３Ｂが形成されており、表示面１０１から前記一縁部より離れた他縁部には、溝８３Ａが形成されている。
【００８５】
枠体８２の溝８３Ａ及び溝８３Ｂによって、透光板８１における、上部光吸収部８１１側の長辺部と、下部光吸収部８１３側の長辺部が夫々係止される。詳しくは、溝８３Ａ、８３Ｂの内側は、透光板８１の両長辺部にならう形状を有しており、透光板８１が、摺動可能に、係止されている。例えば、透光板８１の組み込みの際には、溝８３Ａ、８３Ｂの一方の開口端から透光板８１を溝８３Ａ、８３Ｂの内側に挿入して摺動させれば良い。
【００８６】
従って、実施の形態３に係る電子ホワイトボード１００においては、必要に応じて、透光板８１を着脱することができる。例えば、上部光吸収部８１１及び下部光吸収部８１３に含有されたクロロフィルが酸化することによって赤外光の吸収機能が低下した場合は、適宜透光板８１を交換し、赤外光の吸収機能が劣ることに対応することができる。
【００８７】
枠体８２において、溝８３Ａ、８３Ｂに係る部分であって、透光板８１が係止された状態で、表示面１０１の表側から視認される部分には、実施の形態１に係る上部光吸収部８１１又は下部光吸収部８１３と同様に、光吸収膜部が設けられている。
【００８８】
すなわち、枠体８２の前記一縁部の先端部であって、溝８３Ｂに係る外側面には、光吸収膜８１３Ｂが貼り付けられている。また、枠体８２の前記他縁部の先端部であって、溝８３Ａに係る外側面には、光吸収膜８１１Ｂが貼り付けられている。
【００８９】
光吸収膜８１１Ｂ及び光吸収膜８１３Ｂは、実施の形態１と同様に、クロロフィル成分を含む、抹茶粉末などを適切な溶剤（例えば、アクリル溶剤、エナメル溶剤等）に混錬分散させたペーストを透光板８１の前記一縁部及び他縁部の端面上に塗布することにより形成する。
【００９０】
このような構成によって、透光板８１の長手方向の端側から浅い入射角度にて透光板８１に入射される赤外光が枠体８２の斯かる縁部によって反射されることを防ぎ、これに起因する迷光により遮光物の誤検出が生じることを未然に防止できる。
【００９１】
実施の形態１と同様の部分については、同一の符号を付して詳細な説明を省略する。
【００９２】
以上の記載においては、発光素子９１１、９１１、…を覆う透光板８１を例にあげて説明したが、これに限るものでなく、受光素子９２１、９２１、…を覆う透光板８１においても、同様であることは言うまでもない。
【００９３】
本発明においては、表示面１０１と、該表示面１０１に沿って赤外光を照射する発光素子９１１の列９１及び該赤外光を受光する受光素子９２１の列９２と、前記発光素子９１１の列９１又は受光素子９２１の列９２を覆う短冊形の透光板８１とを備え、前記表示面１０１上の遮光物の位置を検出するタッチパネル装置１００において、前記透光板８１は、クロロフィルを含有し、入射赤外光を吸収する光吸収部８１３を、前記表示面１０１側の一縁部に設けていることを特徴とする。
本発明によれば、クロロフィルを含有し、入射赤外光を吸収する光吸収部を、前記透光板の一縁部に設け、上述したように、浅い入射角を有して入射される赤外光を前記光吸収部が吸収することにより、かかる赤外光が前記透光板より反射されることを抑制でき、これによる誤検出の発生を抑制できる。
本発明においては、前記透光板８１は、前記一縁部に対向する他縁部に前記光吸収部８１１を設けていることを特徴とする。
本発明によれば、クロロフィルを含有し、入射赤外光を吸収する光吸収部を、前記透光板の他縁部にも設け、上述したように、浅い入射角を有して入射される赤外光が前記透光板より反射されることを抑制でき、これによる誤検出の発生を抑制できる。
本発明においては、前記一縁部及び他縁部の少なくとも一方の光吸収部８１１，８１３は、クロロフィルを含有する光吸収膜８１１Ａ，８１３Ａを有することを特徴とする。
本発明によれば、前記光吸収膜が、透光板に対して浅い入射角を有して入射される赤外光を吸収することにより、かかる赤外光が前記透光板より反射されることを抑制でき、これによる誤検出の発生を抑制できる。
本発明においては、前記一縁部及び他縁部の少なくとも一方の光吸収部８１１，８１３では、クロロフィルが前記透光板８１に混入されてあることを特徴とする。
本発明によれば、前記透光板に混入されてあるクロロフィルによって、前記光吸収部では、前記透光板に対して浅い入射角を有して入射される赤外光が吸収されるので、かかる赤外光が前記透光板より反射されることによる誤検出の発生を抑制できる。
本発明においては、前記表示面１０１の縁に沿って周設された枠体８２を備えており、該枠体８２には前記透光板８１を着脱する溝８３Ａ，８３Ｂが設けられていることを特徴とする。
本発明によれば、ユーザが必要に応じて、透光板を着脱することができる。
【符号の説明】
【００９４】
８１  透光板
８２  枠体
８３Ａ，８３Ｂ  溝    
９１  発光素子の列
９２  受光素子の列
１００  タッチパネル装置
１０１  表示面
８１１，８１３  光吸収部
８１１Ａ，８１３Ａ  光吸収膜
９１１  発光素子
９２１  受光素子
【図１】
2014222408.tif 000003
【図２】
2014222408.tif 000004
【図３】
2014222408.tif 000005
【図４】
2014222408.tif 000006
【図５】
2014222408.tif 000007
【図６】
2014222408.tif 000008
【図７】
2014222408.tif 000009
【図８】
2014222408.tif 000010
【図９】
2014222408.tif 000011
【図１０】
2014222408.tif 000012
【図１１】
2014222408.tif 000013
【図１２】
2014222408.tif 000014